(57)【要約】      （修正有）【課題】軽量かつ十分な強度を発揮しつつ持ち運びが容易な組立て式踏み台を提供する。【解決手段】一対の踏み台部材を、一対の脚部と、上部踏み板３０と、下部踏み板４０とで構成し、各脚部を、上部踏み板と下部踏み板の間で上脚部２０ａと下脚部２０ｂとに分割可能に連結する。比較的長い脚部と、それらを連結する下部踏み板を簡単に分解できるため、各部材を手提げカバンや肩掛けカバン内にコンパクトに収容し、嵩張ることなく容易に持ち運ぶことができる。また、アルミニウムなどの軽金属で形成することにより、軽量でかつ十分な強度を発揮できる。【選択図】図２
0003222548.tif 000002
【実用新案登録請求の範囲】
【請求項１】
軽金属からなる一対の踏み台部材を、その上端部で開閉自在にヒンジ結合してなる踏み台であって、
前記各踏み台部材は、それぞれ一対の脚部と、当該脚部の上端間を連結する上部踏み板と、前記脚部の中間部を連結する下部踏み板とからなり、
前記各脚部は、前記上部踏み板と下部踏み板の間で分割可能に連結されていると共に、前記一対の脚部と前記下部踏み板とが分離可能に連結されていることを特徴とする組立て式踏み台。
【請求項２】
請求項１に記載の組立て式踏み台において、
前記各脚部はその分割箇所がパッチン錠で連結されていることを特徴とする組立て式踏み台。
【請求項３】
請求項１または２に記載の組立て式踏み台において、
前記一対の脚部と前記下部踏み板との分離箇所がパッチン錠で連結されていることを特徴とする組立て式踏み台。
【請求項４】
請求項１乃至３のいずれかに記載の組立て式踏み台において、
前記一対の踏み台部材がアルミニウムからなることを特徴とする組立て式踏み台。
【考案の詳細な説明】
【技術分野】
【０００１】
本考案は、持ち運びや収納が容易な組立て式踏み台に関する。
【背景技術】
【０００２】
一般にクロス職人などのプロの職人が室内の壁紙の張り付け・張り替え作業などを行う際には、高さが１ｍ以下の簡易な踏み台が欠かせない。また、この作業では踏み台を頻繁に移動させることからなるべく軽く且つ丈夫なアルミ製のものが多用されている。一方、作業現場に駐車場などがないときには、作業道具一式をカバンに入れ電車で現場まで移動することがしばしばあるが、従来の市販のアルミ製の踏み台は嵩張ってしまい、それを持ったまま電車に乗ると周囲の乗客に迷惑をかけるおそれがある。そのため、例えば以下の特許文献１や２ように折り畳み式の踏み台を利用することも考えられる。
【先行技術文献】
【特許文献】
【０００３】
【特許文献１】特開２０１１−１６３１００号公報
【特許文献２】特開２０１５−１３９５５３号公報
【考案の概要】
【考案が解決しようとする課題】
【０００４】
しかしながら、前記特許文献１や２のような折り畳み式の踏み台は、矩形状の板を複数を組み合わせてなるものであることから、折り畳んでもそれなりの大きさや重量となってしまい、電車での持ち運びや収納は容易でない。さらに、プロの職人による繰り返しの使用に耐えるためには、それなりの強度が必要となり、その結果、重量も増大してしまう可能性がある。
【０００５】
そこで、本考案はこれらの課題を解決するために案出されたものであり、その目的は軽量かつ十分な強度を発揮しつつ持ち運びが容易な新規な組立て式踏み台を提供することにある。
【課題を解決するための手段】
【０００６】
前記課題を解決するために本考案は、軽金属からなる一対の踏み台部材を、その上端部で開閉自在にヒンジ結合してなる踏み台であって、前記各踏み台部材は、それぞれ一対の脚部と、当該脚部の上端間を連結する上部踏み板と、前記脚部の中間部を連結する下部踏み板とからなり、前記各脚部は、前記上部踏み板と下部踏み板の間で分割可能に連結されていると共に、前記一対の脚部と前記下部踏み板とが分離可能に連結されていることを特徴とする組立て式踏み台である。
【０００７】
また、前記各脚部の分割箇所や脚部と下部踏み板との分離箇所は、パッチン錠で連結するのが望ましく、さらに、前記一対の踏み台部材はアルミニウムなどの軽金属からから構成することが望ましい。
【考案の効果】
【０００８】
本考案によれば、比較的長い脚部と、それらを連結する下部踏み板を簡単に分解できるため、これらの各部材を通常の手提げカバンや肩掛けカバン内にコンパクトに収容することができる。この結果、電車移動などによって持ち運ぶ際に嵩張らないため、他の乗客の迷惑となることはない。そして、現場で使用する際には、各部材を組み立て、連結箇所をパッチン錠で固定すれば、簡単に外れることなく、安心して使用することができる。さらに本考案の組立て式踏み台は、アルミニウムなどの軽金属で形成されているため、軽量でかつ十分な強度を発揮することができる。
【図面の簡単な説明】
【０００９】
【図１】本考案に係る組立て式踏み台１００の実施の形態を示す斜視図である。
【図２】図１の状態から脚部２０、２０、２０、２０を分割した状態を示す斜視図である。
【図３】踏み台部材１０を内側から見た正面図である。
【図４】図３の状態から脚部２０、２０を分割した状態を示す正面図である。
【図５】下脚部２０ｂ、２０ｂ付近を示す正面図である。
【図６】図５の状態から下部踏み板を分離した状態を示す正面図である。
【図７】図３中Ａ部を示す拡大図である。
【図８】図５中Ａ部を示す拡大図である。
【図９】各部材を分解して並べた状態を示す説明図である。
【考案を実施するための形態】
【００１０】
以下、本考案の実施の形態を添付図面を参照しながら説明する。図１および図２は本考案に係る組立て式踏み台１００の実施の形態を示したものである。図示するようにこの組立て式踏み台１００は、アルミニウムなどの軽金属からなる一対の踏み台部材１０、１０をその上端部で開閉自在にヒンジ結合した構造となっている。そして、その大きさは特に限定されるものでないが、例えば高さ５０〜６０ｃｍ×幅３５〜４５ｃｍ、奥行き（開閉方向）約４０ｃｍ、重さ約２ｋｇ程度のものが適している。
【００１１】
この踏み台部材１０、１０は、それぞれ一対の脚部２０、２０と、この脚部２０、２０の上端間を水平に連結する上部踏み板３０と、この脚部２０、２０のほぼ中間部を水平に連結する下部踏み板４０とからなっている。この踏み台部材１０、１０は、上部踏み板３０の内側で開閉自在にヒンジ結合されていると共に、開閉方向に対向する脚部２０、２０間には、開度を規制するためにそれぞれストッパー５０、５０が設けられている。
【００１２】
また、図２乃至図４に示すようにこの脚部２０、２０は、上部踏み板３０と下部踏み板４０のほぼ中間部で分割可能に連結されている。図７は図３中Ａ部を示す部分拡大図であり、その分割箇所の構造を詳しく示したものである。この脚部２０、２０は、板厚が約１ｍｍの断面矩形状をした内部中空のアルミ製の角材からなっている。また、上部踏み板３０側の上脚部２０ａの先端には、断面相似形でその外径よりもやや小さいガイド部材２１がこれより数ｃｍ〜１０ｃｍ程度の長さで突出するように設けられている。そして、同図（Ａ）および（Ｂ）に示すようにこの上脚部２０ａ側のガイド部材２１が、下部踏み板４０側の下脚部２０ｂの内側に差し込まれるように挿脱自在となっている。
【００１３】
さらに図７に示すようにこの上脚部２０ａと下脚部２０ｂとの分割箇所には、パッチン錠６０が設けられている。このパッチン錠６０は、下脚部２０ｂの側面にネジなどによって取り付けられたレバー６１と、上脚部２０ａの同側面に同じくネジなどによって取り付けられたフック６３とから構成されており、レバー６１を起立させ、そのリング６２をフック６３に引っ掛けた後に下脚部２０ｂの側面に回動させることで上脚部２０ａと下脚部２０ｂとを確実に連結できるようになっている（同図（Ａ））。一方、この状態からレバー６１を起立させてリング６２をフック６３から外せば簡単に上脚部２０ａと下脚部２０ｂとを分離できるようになっている（同図（Ｂ））。
【００１４】
また、図５および図６に示すように、この下脚部２０ｂ、２０ｂを連結する下部踏み板４０は、その両端が下脚部２０ｂ、２０ｂに対して分離可能に連結されている。図８は図５中Ａ部を示す部分拡大図であり、その連結箇所の構造を詳しく示したものである。下部踏み板４０の両端面には、上下一対のピン４１，４１が設けられており、このピン４１，４１が下脚部２０ｂの側面に穿孔された穴４２，４２に挿入することで下脚部２０ｂと連結されるようになっている。
【００１５】
また、この下部踏み板４０と下脚部２０ｂとの連結箇所には、パッチン錠６０が設けられており、上記と同様にこのレバー６１を起立させ、そのリング６２をフック６３に引っ掛けた後に下部踏み板４０側に回動させることで下部踏み板４０と下脚部２０ｂとを確実に連結できるようになっている（同図（Ａ））。また、同じくこの状態からレバー６１を起立させてリング６２をフック６３から外せば簡単に下部踏み板４０と下脚部２０ｂとを分離できるようになっている（同図（Ｂ））
【００１６】
このような構成をした本考案に係る組立て式踏み台１００は、比較的長い４本の脚部２０、２０、２０、２０と、それらを連結する下部踏み板４０、４０を簡単に分解することが可能となるため、図９に示すようにこれらの各部材を分解した後、通常の手提げカバンや肩掛けカバン内にコンパクトに収容することができる。この結果、電車移動などによって持ち運ぶ際に嵩張らないため、他の乗客の迷惑となることはない。
【００１７】
そして、現場で使用する際には、上脚部２０ａのガイド部材２１や下部踏み板４０のピン４１，４１を相手部材側に差し込んで連結した後、パッチン錠６０で固定すれば、簡単に外れることなく、安心して使用することができる。また、本考案の組立て式踏み台１００は、アルミニウムなどの軽金属で形成されているため、軽量でかつ十分な強度を発揮することが可能となり、プロの職人による使用にも十分に耐えることができる。
【符号の説明】
【００１８】
１００…組立て式踏み台
１０…踏み台部材
２０…脚部
２０ａ…上脚部
２０ｂ…下脚部
２１…ガイド部材
３０…上部踏み板
４０…下部踏み板
４１…ピン
４２…穴
５０…ストッパー
６０…パッチン錠
６１…レバー
６２…リング
６３…フック
【図１】
0003222548.tif 000003
【図２】
0003222548.tif 000004
【図３】
0003222548.tif 000005
【図４】
0003222548.tif 000006
【図５】
0003222548.tif 000007
【図６】
0003222548.tif 000008
【図７】
0003222548.tif 000009
【図８】
0003222548.tif 000010
【図９】
0003222548.tif 000011